(57)【要約】【課題】塗膜転写具を、被転写面上を連続走行させた場合にも、塗膜層が非連続的に転写されるようにする。【解決手段】転写ヘッド５における左右のガイド側板９、１０の前端外側にガイドローラ１５、１６を設けるとともに、前記ガイド側板間に、前端部が上下に揺動可能に揺動板１７を軸支し、この揺動板を弾性ばね１９により、その前端部が上方に揺動する方向に付勢し、かつ前記ガイドローラと連動して回転する楕円状カム２０を、前記揺動板の上面に当接させ、さらに前記揺動板の前端部に転写ローラ６を設けて、前記ガイドローラを被転写面Ｓ上に当接して走行させることにより、前記転写ローラが断続的に被転写面に当接して、塗膜層が非連続的に転写されるようにする。【選択図】  図３
2016203502.tif 000002
【特許請求の範囲】
【請求項１】
基材テープ上に塗膜層を設けた転写用テープを、塗膜転写具に設けた転写ヘッドの転写部を介して、被転写面に押圧することにより、前記塗膜層が被転写面に転写されるようにした塗膜転写具において、前記転写用テープを巻き回した供給リールと、この供給リールから引き出されて、前記転写部に掛け渡され、塗膜層が転写された後の転写用テープを巻取る巻取リールと、前記供給リールと前記巻取リールを内部に収容するケースと、前記転写ヘッドの前端部に設けられたガイドローラと、前記転写ヘッドまたは前記ケースに設けられた、前端部が上下方向に揺動可能な揺動板と、この揺動板の前端に設けられた前記転写部と、前記ガイドローラと連動して回転し、かつ前記揺動板を押圧するカムとを備え、前記ガイドローラを被転写面に押圧して前記塗膜転写具を走行させることにより、前記ガイドローラと連動する前記カムの回転により、このカムによって押圧される前記揺動板が、その前端部が上下に揺動して、前記転写部が被転写面と断続的に当接することにより、前記転写用テープの塗膜層が非連続的に被転写面に転写されるようにしたことを特徴とする塗膜転写具。
【請求項２】
揺動板を、その前端部が上方または下方に揺動する方向に付勢する付勢部材を設け、ガイドローラと連動して回転するカムにより、前記付勢部材の付勢方向とは逆方向に前記揺動板を押圧し、前記ガイドローラを被転写面に押圧して前記塗膜転写具を走行させることにより、前記ガイドローラと連動する前記カムの回転により、このカムによって押圧される前記揺動板が、前記付勢部材の付勢力に抗して、その前端部が上下に揺動して、前記転写部が被転写面と断続的に当接することにより、前記転写用テープの塗膜層が非連続的に被転写面に転写されるようにした請求項１に記載の塗膜転写具。
【請求項３】
転写ヘッドが、供給リールと巻取リールを内部に収容したケースの前端開口部から外部に臨ませた転写ヘッドであり、かつ左右のガイド側板を有するヘッド本体を備え、揺動板が前記左右のガイド側板間に、その前端部が上下方向に揺動可能に軸支されるとともに、前記ガイド側板の左右外側にガイドローラが回転可能に設けられた請求項１または２に記載の塗膜転写具。
【請求項４】
転写ヘッドの転写部が、揺動板の前端に設けられた転写ローラである請求項１〜３のいずれかに記載の塗膜転写具。
【請求項５】
カムが、ガイドローラと一体的に回転する第１歯車と、この第１歯車と連動する第２歯車とを介して、この第２歯車と一体的に回転することにより、ガイドローラと連動するようにした請求項１〜４のいずれかに記載の塗膜転写具。
【請求項６】
ヘッド本体における左右のガイド側板の後端部が、転写ヘッドをケースに取付ける取付部を有する後面板によって連結されるとともに、前記後面板に取付けた付勢部材としての弾性ばねによって、揺動板をその前端部が上方に揺動する方向に付勢し、かつカムが、揺動板の上面に当接して、第１歯車および第２歯車を介して、ガイドローラと連動して回転するようにした請求項３、または請求項３を引用する請求項４〜５のいずれかに記載の塗膜転写具。
【請求項７】
塗膜転写具を被転写面に押圧して走行させたときに、転写ヘッドの転写部が常時、被転写面に押圧されて、塗膜層を連続的に被転写面に転写しうるように揺動板を、その前端部が下方に揺動する方向に連続して押圧する連続押圧状態と、前記連続押圧状態を解除した状態との二者を任意に選択しうる連続転写切換手段を付加した請求項１〜６のいずれかに記載の塗膜転写具。
【請求項８】
連続転写切換手段を、ヘッド本体における左右のガイド側板間に軸支し、かつこの軸支点より最遠位部を揺動板との当接端面とした連続カムと、この連続カムを前記ガイド側板の左右外側の少なくとも一方において回転操作するための操作取手とより構成し、前記連続カムの前記当接端面を、前記揺動板の上面に当接するように回転操作したときに連続押圧状態となり、一方、前記当接端面を、前記揺動板の上面に当接した状態から、前記連続カムをほぼ９０度回転操作したときに前記連続押圧状態を解除した状態となるようにした請求項７に記載の塗膜転写具。
【請求項９】
連続押圧状態を解除した状態のときに、転写用テープの塗膜層を非連続的に被転写面に転写するためのカムが揺動板に当接した状態となるようにした請求項８に記載の塗膜転写具。
【発明の詳細な説明】
【技術分野】
【０００１】
本発明は、塗膜転写具に関し、特に被転写面に転写される塗膜層が粘着塗膜層または螢光塗膜層である場合に有用に適用される塗膜転写具に関する。
【背景技術】
【０００２】
塗膜転写具は、塗膜層が修正用塗膜層、粘着塗膜層、螢光塗膜層等である塗膜転写具が広く使用されている。しかし、従来一般の塗膜転写具は、塗膜層を連続して被転写面に転写するものである。
【０００３】
しかし、粘着塗膜層の場合、たとえばノートにプリントを貼るようなときは、塗膜層を連続的に転写しなくても、実用上充分に接着できる場合が多い。また、螢光塗膜層の場合、デザイン上の理由から、所定間隔で非連続に転写した方が好ましいときもある。
【０００４】
このような場合に、連続転写式の塗膜転写具を用いて、転写したい部分にのみ非連続的に転写することもできるが、手数を要するばかりでなく、転写された塗膜層が所定間隔とならないという問題がある。
【０００５】
このため、たとえば特許文献１では、転写用テープとして、基材テープ上に、粘着塗膜層を予め所定間隔に配置したものを用いた塗膜転写具が開示され、また特許文献２では、被転写面の転写したい部分にスタンプ式で転写することができる塗膜転写具が開示されている。
【０００６】
しかし、特許文献１に記載されている塗膜転写具では、転写用テープの製造に工夫を施す必要があるばかりでなく、基材テープが長くなり、無駄があるという問題がある。
【０００７】
また、特許文献２に記載されている塗膜転写具では、数回に分けて転写しなければならず、手数を要するという問題がある。
【先行技術文献】
【特許文献】
【０００８】
【特許文献１】実開平０１−１５６１６３号公報
【特許文献２】特開２０１０−８３１０２号公報
【発明の概要】
【発明が解決しようとする課題】
【０００９】
本発明は、前記の現状に鑑み、基材テープ上に塗膜層を連続して設けた転写用テープを備える塗膜転写具を、被転写面上に連続して押圧した状態で走行させても、被転写面上に塗膜層を非連続的に転写することができる塗膜転写具を提供することを目的とする。
【００１０】
また、さらに好ましい形態では、被転写面上に、塗膜層を所望に応じて、非連続的または連続的のいずれでも転写できる塗膜転写具を提供することを目的とする。
【課題を解決するための手段】
【００１１】
本発明によると、前記課題は、次のような手段によって解決される。
（１）基材テープ上に塗膜層を設けた転写用テープを、塗膜転写具に設けた転写ヘッドの転写部を介して、被転写面に押圧することにより、前記塗膜層が被転写面に転写されるようにした塗膜転写具において、前記転写用テープを巻き回した供給リールと、この供給リールから引き出されて、前記転写部に掛け渡され、塗膜層が転写された後の転写用テープを巻取る巻取リールと、前記供給リールと前記巻取リールを内部に収容するケースと、前記転写ヘッドの前端部に設けられたガイドローラと、前記転写ヘッドまたは前記ケースに設けられた、前端部が上下方向に揺動可能な揺動板と、この揺動板の前端に設けられた前記転写部と、前記ガイドローラと連動して回転し、かつ前記揺動板を押圧するカムとを備え、前記ガイドローラを被転写面に押圧して前記塗膜転写具を走行させることにより、前記ガイドローラと連動する前記カムの回転により、このカムによって押圧される前記揺動板が、その前端部が上下に揺動して、前記転写部が被転写面と断続的に当接することにより、前記転写用テープの塗膜層が非連続的に被転写面に転写されるようにしたことを特徴とする塗膜転写具とする。
このような構成とすることにより、揺動板が、その前端部が上下に揺動して、転写部が被転写面と断続的に当接するため、基材テープ上に塗膜層を連続して設けた転写テープを備える塗膜転写具を被転写面上に連続して押圧した状態で走行させても、被転写面上に塗膜層を非連続的に転写することができる。
【００１２】
（２）前記（１）項において、揺動板を、その前端部が上方または下方に揺動する方向に付勢する付勢部材を設け、ガイドローラと連動して回転するカムにより、前記付勢部材の付勢方向とは逆方向に前記揺動板を押圧し、前記ガイドローラを被転写面に押圧して前記塗膜転写具を走行させることにより、前記ガイドローラと連動する前記カムの回転により、このカムによって押圧される前記揺動板が、前記付勢部材の付勢力に抗して、その前端部が上下に揺動して、前記転写部が被転写面と断続的に当接することにより、前記転写用テープの塗膜層が非連続的に被転写面に転写されるようにする。
このような構成とすることにより、付勢部材と、ガイドローラと連動して回転するカムとの両者の作用により、揺動板の前端部の転写部が被転写面と断続的に当接する機構を容易に構成することができる。
【００１３】
（３）前記（１）項または（２）項において、転写ヘッドが、供給リールと巻取リールを内部に収容したケースの前端開口部から外部に臨ませた転写ヘッドであり、かつ左右のガイド側板を有するヘッド本体を備え、揺動板が前記左右のガイド側板間に、その前端部が上下方向に揺動可能に軸支されるとともに、前記ガイド側板の左右外側にガイドローラが回転可能に設けられたものとする。
このような構成とすることにより、ガイドローラがガイド側板の左右外側に位置しているため、塗膜転写具を、被転写面上を安定して走行させることができるとともに、揺動板の揺動にかかわらず、転写用テープが左右のガイド側板により良好に案内される。
【００１４】
（４）前記（１）項〜（３）項のいずれかにおいて、転写ヘッドの転写部が、揺動板の前端に設けられた転写ローラであるものとする。
このような構成とすることにより、揺動板の揺動にかかわらず、塗膜層を良好に転写することができる。
【００１５】
（５）前記（１）項〜（４）項のいずれかにおいて、カムが、ガイドローラと一体的に回転する第１歯車と、この第１歯車と連動する第２歯車とを介して、この第２歯車と一体的に回転することにより、ガイドローラと連動するようにしたものとする。
このような構成とすることにより、カムをガイドローラと確実に連動させることができる。
【００１６】
（６）前記（３）項、または（３）項を引用する前記（４）項または（５）項のいずれかにおいて、ヘッド本体における左右のガイド側板の後端部が、転写ヘッドをケースに取付ける取付部を有する後面板によって連結されるとともに、前記後面板に取付けた付勢部材としての弾性ばねによって、揺動板をその前端部が上方に揺動する方向に付勢し、かつカムが、揺動板の上面に当接して、第１歯車および第２歯車を介して、ガイドローラと連動して回転するようにしたものとする。
このような構成とすることにより、転写ヘッドを容易にケースに取付けることができるとともに、弾性ばねによって揺動板を安定して付勢し、かつカムによって揺動板を、その前端部を弾性ばねの付勢力に抗して容易に揺動させることができる。
【００１７】
（７）前記（１）項〜（６）項のいずれかにおいて、塗膜転写具を被転写面に押圧して走行させたときに、転写ヘッドの転写部が常時、被転写面に押圧されて、塗膜層を連続的に被転写面に転写しうるように揺動板を、その前端部が下方に揺動する方向に連続して押圧する連続押圧状態と、前記連続押圧状態を解除した状態との二者を任意に選択しうる連続転写切換手段を付加したものとする。
このような構成とすることにより、所望に応じて、塗膜層を連続的に転写することができる。
【００１８】
（８）前記（７）項において、連続転写切換手段を、ヘッド本体における左右のガイド側板間に軸支し、かつこの軸支点より最遠位部を揺動板との当接端面とした連続カムと、この連続カムを前記ガイド側板の左右外側の少なくとも一方において回転操作するための操作取手とより構成し、前記連続カムの前記当接端面を、前記揺動板の上面に当接するように回転操作したときに連続押圧状態となり、一方、前記当接端面を、前記揺動板の上面に当接した状態から、前記連続カムをほぼ９０度回転操作したときに前記連続押圧状態を解除した状態となるようにする。
このような構成とすることにより、操作取手によって、容易に連続カムの回転操作を行うことができ、これにより、所望により、塗膜層の連続的な転写を行うことができる。
【００１９】
（９）前記（８）項において、連続押圧状態を解除した状態のときに、転写用テープの塗膜層を非連続的に被転写面に転写するためのカムが揺動板に当接した状態となるようにする。
このような構成とすることにより、所望により、塗膜層を連続的または非連続的のいずれにも転写しうるように容易に切換えることができる。
【発明の効果】
【００２０】
本発明の塗膜転写具は、基材テープ上に塗膜層を連続して設けた転写テープを使用し、かつ塗膜転写具を、被転写面上を連続して押圧した状態で走行させても、塗膜層を所定間隔をもって非連続的に転写することができる。
【００２１】
また、さらに好ましい形態では、所望に応じて、連続的または非連続的のいずれにも簡単に切り換えて塗膜層を転写することができる。
【図面の簡単な説明】
【００２２】
【図１】本発明を実施した塗膜転写具の斜視図である。
【図２】図１に示す塗膜転写具を、ケースを分解して内部を示す斜視図である。
【図３】図１に示す塗膜転写具における転写ヘッドを、ケースから取り外し、拡大して示す斜視図である。
【図４】図３に示す転写ヘッドの分解斜視図である。
【図５】図３におけるＡ〜Ａ線縦断面図に相当し、非連続転写の場合における、転写ローラが被転写面に当接していない状態を示す。
【図６】同じく、図３におけるＡ〜Ａ線縦断面図に相当し、非連続転写の場合における、転写ローラが被転写面に当接している状態を示す。
【図７】同じく、図３におけるＡ〜Ａ線縦断面図に相当し、連続転写の場合における、転写ローラが被転写面に当接している状態を示す。  なお、図３においては、転写用テープを図示していないが、図５，６，７においては、転写用テープを追記して示した。
【発明を実施するための形態】
【００２３】
以下、本発明を、一実施例を示す図面に基づいて説明する。
図１は、本発明を実施した塗膜転写具の斜視図、図２は、図１に示す塗膜転写具を、ケースを分解して内部を示す斜視図である。
【００２４】
本発明の塗膜転写具１は、従来一般の塗膜転写具と同様に、基材テープ上に塗膜層を設けた転写用テープ２を、ケース３の前記開口部４から外部に臨ませた転写ヘッド５に設けた転写部としての転写ローラ６を介して、被転写面に押圧することにより、前記塗膜層が被転写面に転写されるようになっている。
【００２５】
図２に示すように、ケース３は、一対のケース部材３ａ、３ｂからなり、ケース内には、転写用テープ２を巻き回した供給リール７と、この供給リールから引き出されて、前記転写ローラ６に掛け渡され、塗膜層が転写された後の転写用テープ２を巻取る巻取リール８が設けられている。
【００２６】
本発明の塗膜転写具１における供給リール７と巻取リール８間の連動機構は、一般の塗膜転写具におけるものと同様であり、本発明の要旨ではないので、その説明は省略する。
【００２７】
図３は、図１に示す塗膜転写具１における転写ヘッド５を、ケース３から取り外し、拡大して示す斜視図であり、図４は、図３に示す転写ヘッド５の分解斜視図である。
本発明は、この転写ヘッド５の構造に特徴を有する。
【００２８】
本発明における転写ヘッド５は、左右のガイド側板９、１０を有するヘッド本体１１を備える。この左右のガイド側板９、１０の後端部は、転写ヘッド５をケース３に取付ける取付部１２を有する後面板１３によって連結されている。
【００２９】
左右のガイド側板９、１０の前端部には、左右外向きのローラ取付軸１４が設けられている。このローラ取付軸１４には、ガイドローラ１５、１６がそれぞれ取付けられる。
【００３０】
ローラ取付軸１４の自由端には拡径された抜け止め１４ａが設けられているとともに、軸線方向のスリット状の切り込み１４ｂが設けられている。
【００３１】
ガイドローラ１５、１６の挿通孔１５ａ、１６ａに、ローラ取付軸１４を、その自由端を切り込み１４ｂを利用して窄ませた状態で挿通させることによりガイドローラ１５、１６は回転自在にローラ取付軸１４に取付けられる。
【００３２】
左右のガイド側板９、１０間には、揺動板１７が、その前端部が上下方向に揺動可能に軸支される。
【００３３】
揺動板１７は、平面視がほぼ四角形の板状体１７ａの前端左右に転写ローラ６の支持軸１８を取付けるための取付片１７ｂを設けて構成されている。また前記板状体１７ａの後端部における左右の側面には、係止軸１７ｃが突設されているとともに、板状体１７ａの後端の左右中央には切り込み１７ｄが設けられている。
【００３４】
揺動板１７を左右のガイド側板９、１０間に取り付けるには、揺動板１７の後端部の左右幅を切り込み１７ｄを利用して窄めて、左右のガイド側板９、１０の揺動板取付孔９ａ、１０ａに、揺動板１７の左右の係止軸１７ｃを嵌挿すればよい。
【００３５】
また、転写ローラ６を揺動板１７に取り付けるには、転写ローラ６の軸挿通孔６ａ内に支持軸１８を挿入した後に、この支持軸１８の左右端に突設された係止軸１８ａを、揺動板１７の取付片１７ｂに設けられた取付孔１７ｅに嵌挿すればよい。
【００３６】
これにより、転写ヘッド５の転写部としての転写ローラ６が、揺動板１７の前端に回転可能に取付けられる。
【００３７】
図５は、図３におけるＡ〜Ａ線縦断面図に相当し、非連続転写の場合における、転写ローラ６が被転写面Ｓに当接していない状態を示す。
また、図６は、転写ローラ６が被転写面Ｓに当接している状態を示す。
なお、本明細書において、転写ローラ（転写部）が被転写面Sに当接するとは、転写ローラ（転写部）が被転写面Sに直接、当接する場合のほか、転写用テープを介して、間接に被転写面Sに当接する場合も含めて指称する。
また、転写ローラ６は、少なくともその表面が、たとえばシリコーンゴムやウレタンゴム等のエラストマー等の弾性材料から形成され、転写ローラ６が被転写面Ｓに当接する際には、転写ローラ６の当接部分が弾性により面状となって当接することにより、塗膜層が被転写面Ｓに良好に転写されるようになっている。
【００３８】
揺動板１７は、その前端部が、図５に示すように、ヘッド本体１１の後面板１３に取付けた付勢部材としての弾性ばね１９によって、上方に揺動する方向に付勢される。
【００３９】
また、図３、図４に示すように、カム２０、たとえば楕円状カムが、左右のガイド側板９、１０間に取り付けられる。まずカム２０を左右のガイド側板９、１０間に配置し、ガイド側板１０の外側より、カム支持軸２１を、ガイド側板１０のカム取付孔１０ｂ、カム２０の軸挿通孔２０ａ、ガイド側板９のカム取付孔９ｂに順次、挿通させることにより取り付けることができる。
【００４０】
カム２０の軸挿通孔２０ａ内には、カム２０の軸線方向に突条部２０ｂが設けられており、この突条部２０ｂを、カム支持軸２１に軸線方向に設けられた凹溝２１ａに嵌合させることにより、カム２０はカム支持軸２１と一体的に回転するようになっている。このカム支持軸２１の一端には第２歯車２３が固着されている。
【００４１】
また、一対のガイドローラ１５、１６の一方のガイドローラ１５の左右方向の内側には、ガイドローラ１５と一体に第１歯車２２が設けられている。
【００４２】
この第１歯車２２は、前記カム支持軸２１に固着された第２歯車２３と噛合するようになっている。これにより、カム２０が、ガイドローラ１５と一体的に回転する第１歯車２２と、この第１歯車２２と噛合により連動する第２歯車２３とを介して、この第２歯車２３と一体的に回転することにより、ガイドローラ１５と連動することとなる。
【００４３】
カム２０は、図５、図６に示すように、揺動板１７の上面に当接するようになっている。
【００４４】
カム２０がガイドローラ１５、１６と連動して回転するため、ガイドローラ１５、１６を被転写面Ｓに押圧して塗膜転写具１を走行させることにより、前記カム２０によって押圧される揺動板１７の前端部が上下に揺動して、この前端部に取り付けられている転写部としての転写ローラ６が被転写面Ｓと断続的に当接することにより、転写用テープ２の塗膜層が所定間隔を以って非連続に転写されることになる。
【００４５】
図５は、楕円状カム２０の短径方向の端面が揺動板１７の上面に当接している状態を示し、転写ローラ６は被転写面Ｓに当接していないため、この状態では転写用テープ２の塗膜層は、被転写面Ｓ上に転写されない。
【００４６】
一方、図６は、楕円状カム２０の長径方向の端面が揺動板１７の上面に当接している状態を示し、この状態では、楕円状カム２０により、付勢部材としての弾性ばね１９の付勢力に抗して、揺動板１７の前端部が下方に揺動して、転写ローラ６が被転写面Ｓに当接しており、転写用テープ２の塗膜層は、被転写面Ｓ上に転写される。
【００４７】
本発明は、さらに前記説明した転写用テープ２の塗膜層を非連続に被転写面に転写する場合と、連続的に転写する場合の二者を任意に選択しうる連続転写切換手段を付加した塗膜転写具１をも提供する。
【００４８】
連続転写切換手段２４は、図４に示すように、連続カム２５と、この連続カム２５を操作するための操作取手２６とより構成される。
【００４９】
連続カム２５には、軸線方向に軸挿通孔２５ａが設けられるとともに、この軸挿通孔２５ａ内には、突条部２５ｂが設けられている。
【００５０】
操作取手２６には、支持軸２６ａが一体的に設けられているとともに、軸線方向に凹溝２６ｂが設けられている。
【００５１】
連続転写切換手段２４を転写ヘッド５に取り付けるには、次の手順による。
まず、連続カム２５を、左右のガイド側板９、１０間の連続カム取付孔９ｃ、１０ｃの位置に配置し、ガイド側板１０の外側より、操作取手２６と一体となった支持軸２６ａを、ガイド側板１０の連続カム取付孔１０ｃ、連続カム２５の軸挿通孔２５ａ、ガイド側板９の連続カム取付孔９ｃに順次、挿通させることにより取り付けることができる。
【００５２】
この場合、連続カム２５の軸挿通孔２５ａ内に設けられた突条部２５ｂを、支持軸２６ａに設けられた凹溝２６ｂに嵌合させることにより、連続カム２５を操作取手２６によって一体的に回転操作することが可能となる。
【００５３】
塗膜転写具１を被転写面Ｓに押圧して走行させたときに、塗膜層が連続的に被転写面Ｓに転写されるようにするには、次のようにすればよい。
【００５４】
図７は、図３におけるＡ〜Ａ線縦断面図に相当し、連続的に転写される場合の状態を示す。
【００５５】
連続転写させるには、図７に示すように、操作取手２６により、連続カム２５を回転操作して、連続カム２５の軸支点より最遠位部に位置する当接端面２５ｃが揺動板１７の上面に当接するようにすればよい。
【００５６】
これにより、揺動板１７は、転写ローラ６が常時、被転写面Ｓに押圧される位置まで、弾性ばね１９の付勢力に抗して、下方に押圧されて、この状態が維持される、いわゆる連続押圧状態となる。
【００５７】
この連続押圧状態を解除するには、操作取手２６により、連続カム２５を、前記の連続押圧状態からほぼ９０度回転操作すればよい。これにより、図５、図６に示すように、連続カム２５に代って、塗膜層を非連続に被転写面Ｓに転写するためのカム２０が、揺動板１７に当接した状態となる。
【００５８】
したがって、操作取手２６によって、連続カム２５を回転操作することにより、所望により、塗膜層を連続的または非連続的のいずれにも転写しうるように容易に切換えることができる。
【００５９】
また、左右のガイド側板９、１０の上面には切欠溝９ｄ、１０ｄが設けられ、この切欠溝９ｄ、１０ｄには、転写用テープガイド２７が嵌着されている。
【００６０】
以上、好ましい実施例について説明したが、本発明はこの実施例に限定されるものではない。
本発明は、前記実施例以外に、たとえば、下記のような種々の実施形態が挙げられる。
【００６１】
（１）転写ヘッドについて、実施例では、供給リール７と巻取リール８を内部に収容したケース３の前端開口部４から外部に臨ませた転写ヘッド５を示したが、たとえば左右のガイド側板９、１０が、ケース３を形成する左右のケース部材３ａ、３ｂの前端部をもって構成され、前端に転写部を有する揺動板が前記ケース３に軸支されている形態であってもよい。
この場合、転写ヘッドは、左右のケース部材の前端部と揺動板とで構成されることになる。
【００６２】
（２）転写ヘッドの転写部として、実施例では、揺動板の前端に回転可能に設けた転写ローラを示したが、この転写ローラに代えて、揺動板の前端をヘラ状として、これを転写部としてもよい。
【００６３】
（３）実施例では、付勢部材である弾性ばねをもって、揺動板を、その前端部が上方に揺動する方向に付勢し、カムを揺動板の上面に当接させる形態を示したが、これとは逆に、弾性ばねをもって、揺動板を、その前端部が下方に揺動する方向に付勢し、カムを揺動板の下面に当接させる形態としてもよい。
【００６４】
（４）塗膜層を非連続に転写するカムとして、実施例では楕円状カムを示したが、その他、たとえば多角形カム、偏芯カムなどを適宜用いることができる。
【００６５】
（５）実施例では、第１歯車２２が第２歯車２３と直接、噛合する場合を示したが、第１歯車２２と第２歯車２３が他の歯車を介して、間接的に連動する形態であってもよい。
【符号の説明】
【００６６】
１    塗膜転写具
２    転写用テープ
３    ケース
３ａ、３ｂ  ケース部材
４    開口部
５    転写ヘッド
６    転写ローラ（転写部）
６ａ  軸挿通孔
７    供給リール
８    巻取リール
９、１０  ガイド側板
９ａ、１０ａ  揺動板取付孔
９ｂ、１０ｂ  カム取付孔
９ｃ、１０ｃ  連続カム取付孔
９ｄ、１０ｄ  切欠溝
１１    ヘッド本体
１２    取付部
１３    後面板
１４    ローラ取付軸
１４ａ  抜け止め
１４ｂ  切り込み
１５    ガイドローラ
１５ａ  挿通孔
１６    ガイドローラ
１６ａ  挿通孔
１７    揺動板
１７ａ  板状体
１７ｂ  取付片
１７ｃ  係止軸
１７ｄ  切り込み
１７ｅ  取付孔
１８    支持軸
１８ａ  係止軸
１９    弾性ばね（付勢部材）
２０    カム
２０ａ  軸挿通孔
２０ｂ  突条部
２１    カム支持軸
２１ａ  凹溝
２２    第１歯車
２３    第２歯車
２４    連続転写切換手段
２５    連続カム
２５ａ  軸挿通孔
２５ｂ  突条部
２５ｃ  当接端面
２６    操作取手
２６ａ  支持軸
２６ｂ  凹溝
２７    転写用テープガイド
【図１】
2016203502.tif 000003
【図２】
2016203502.tif 000004
【図３】
2016203502.tif 000005
【図４】
2016203502.tif 000006
【図５】
2016203502.tif 000007
【図６】
2016203502.tif 000008
【図７】
2016203502.tif 000009